(57)【特許請求の範囲】
【請求項１】
光源より発せられた光を光学記録媒体に対して照射する光学デバイスと、
上記光学記録媒体からの反射光を検出する光検出器と、
上記光検出器より出力される光検出出力を増幅するアンプと、
上記光源の発光出力を記録モード時には再生モード時よりも大きくなるように制御し、上記記録モード時と上記再生モード時とで上記発光出力を切り換えるとともに、該発光出力の切り換えに同期してアンプの利得を切換える制御回路と、
上記光検出器の検出結果から上記光学デバイスをサーボ制御するためのサーボ信号が生成されるタイミングを得るためのサンプリングパルスを生成するサンプリングパルス生成回路とを備え、
上記サンプリングパルスは、記録モード時の信号を書き込むためのライトパルスのピット部を形成する区間と、上記ピット部に隣接するピット部を形成する区間との間のスペース区間と同じタイミングで生成されるとともに、上記サンプリングパルスには、上記サーボ信号が生成されないタイミングであることを示すディレイ時間が設定され、
上記ディレイ時間は、上記サーボ信号を生成するためのサンプリングが行われる区間に応じて適宜設定され、上記再生モード時から上記記録モード時に切り換えたとき、アンプの切り換えのための所定の時間より大きい、サンプリングを行う区間の長さの最低値を規制する時間とされ、上記アンプの切り換えが終了した後に、上記所定の時間に戻される記録再生装置。
【請求項２】
上記ディレイ時間は、第１のディレイ時間と、第２のディレイ時間とからなり、
上記サーボ信号は、上記サンプリングパルスの開始位置から設定される上記第１のディレイ時間と、終了位置の前に設定される上記第２のディレイ時間とを除くタイミングに応じて生成されることを特徴とする請求項１記載の記録再生装置。
【請求項３】
光源より発せられた光を光学記録媒体に対して照射し、
上記光学記録媒体からの反射光を光検出器によって検出し、
上記光検出器より出力される光検出出力を増幅し、
上記光源の発光出力を記録モード時には再生モード時よりも大きくなるように制御し、上記記録モード時と上記再生モード時とで上記発光出力を切り換えるとともに、上記発光出力の切り換えに同期してアンプの利得を切り換え、
上記光検出器の検出結果から上記光学デバイスをサーボ制御するためのサーボ信号が生成されるタイミングを得るためのサンプリングパルスを生成し、
上記サンプリングパルスは、記録モード時の信号を書き込むためのライトパルスのピット部を形成する区間と、上記ピット部に隣接するピット部を形成する区間との間のスペース区間と同じタイミングで生成されるとともに、上記サンプリングパルスには、上記サーボ信号が生成されないタイミングであることを示すディレイ時間が設定され、
上記ディレイ時間は、上記サーボ信号を生成するためのサンプリングが行われる区間に応じて適宜設定され、上記再生モード時から上記記録モード時に切り換えたとき、アンプの切り換えのための所定の時間より大きい、サンプリングを行う区間の長さの最低値を規制する時間とされ、上記アンプの切り換えが終了した後に、上記所定の時間に戻される記録方法。
【発明の詳細な説明】
【０００１】
【発明の属する技術分野】
本発明は、光学記録媒体に対して情報信号の記録及び再生を行う記録再生装置及び記録方法に関する技術分野に属する。
【０００２】
【従来の技術】
従来、いわゆるＣＤ−Ｒ（ＣＤ−レコーダブル）の如き追記型光学記録媒体（例えば色素型）や、いわゆるＣＤ−ＲＷ（ＣＤ−リライタブル）の如き書き換え型光学記録媒体（例えば相変化型）が提案されている。これらの光学記録媒体は、情報信号の記録時においては、情報信号の再生時よりも光出力の大きな光を照射されることにより、情報信号の記録がなされるように構成されている。
【０００３】
したがって、これらの光学記録媒体に対して情報信号の記録及び再生を行う記録再生装置は、光源と、この光源より発せられた光を光学記録媒体に対して照射させるための対物レンズを含む光学デバイスと、該光源が発する光の光出力を記録モードと再生モードとで切換える制御回路とを備えて構成されている。また、この記録再生装置は、光源より発せられ光学記録媒体に対して照射された光の該光学記録媒体による反射光を検出する光検出器を備えている。
【０００４】
例えば、ＣＤ−ＲＷ（ＣＤ−リライタブル）の如き書き換え型光学記録媒体を用いる場合においては、記録モードにおけると再生モードにおけるとの光源よりの光の光出力の比率は、１０倍程度になる。このように、記録モードにおけると再生モードにおけるとの光出力の比率が大きい場合には、光検出器より出力される光検出信号を増幅するアンプの利得（ゲイン）も光出力の切換えに同期して切換えることとしないと、記録モード及び再生モードの両モードにおいて、光学記録媒体よりアドレス情報やサーボ情報等の種々の情報を良好に得ることができない。なお、アンプの電源電圧を充分に大きくとれれば利得を切換える必要はなくなるが、これは現実的な手段ではない。
【０００５】
そのため、光検出器より出力される光検出信号を増幅するアンプの利得を記録モードと再生モードとで切換えるようにした記録再生装置が提案されている。
【０００６】
【発明が解決しようとする課題】
ところで、上述のように、記録モードと再生モードとで、光検出器より出力される光検出信号を増幅するアンプの利得を切換えるようにした記録再生装置においては、光源の発光出力の切換えとアンプの利得の切換えとのタイミングが合わないと、これら切換え操作時に、光検出信号の飽和（すなわち、再生モードから記録モードに切換えられたときに発光出力のほうが先に切換えられた場合、及び、記録モードから再生モードに切換えられたときにアンプの利得のほうが先に切換えられた場合）、あるいは、光検出信号のレベルの極端な減衰（記録モードから再生モードに切換えられたときに発光出力のほうが先に切換えられた場合、及び、再生モードから記録モードに切換えられたときにアンプの利得のほうが先に切換えられた場合）が生じる。
【０００７】
このような、検出信号の飽和や極端な減衰が生じたときには、フォーカスサーボ動作やトラッキングサーボ動作が中断されてしまう虞れがある。これらフォーカスサーボ及びトラッキングサーボは、対物レンズにより形成される光スポットが、常に、光学記録媒体上の記録トラック上に位置するように、該対物レンズを該記録トラックに追従させて移動操作するものである。これらフォーカスサーボ動作やトラッキングサーボ動作は、光検出信号より生成されるフォーカスエラー信号及びトラッキングエラー信号に基づいて実行される。
【０００８】
フォーカスサーボ動作やトラッキングサーボ動作が中断されてしまうと、再度各サーボ動作を開始して光学記録媒体上に記録されたアドレス情報等を読み直す必要が生じるので、迅速な動作モードの切換え（記録モードから再生モードへの切換え及び再生モードから記録モードへの切換え）が行えなくなる。
【０００９】
したがって、光源の発光出力の切換えとアンプの利得の切換えとのタイミングは、厳密に合わせなければならず、これら光源及びアンプの制御が困難化している。
【００１０】
さらに、光学記録媒体に対する情報信号の記録及び再生においては、従来の通常速度の２倍、４倍、８倍、１６倍といった高速化が進められている。記録モードにおける光源の発光出力は、このような高速化に伴って益々高くなり、再生モードにおける発光出力は高速化しても変わらないので、記録モードにおける光源の発光出力の再生モードにおける発光出力に対する比率が益々大きくなる。この場合、アンプの利得切換えの比率も大きくなり、このような利得切換えに伴う光検出出力の変動も大きくなる。
【００１１】
なお、アンプの利得の切換えによる利得の急激な変動を避けるため、光源の発光出力とアンプの利得とを目的の値まで段階的に切換えることが考えられる。しかしながら、この場合には、光源及びアンプを制御する制御回路の追加や、光源及びアンプの制御のための制御信号のポートの追加などが必要となり、構成の複雑化が招来される。
【００１２】
そこで、本発明は、上述の実情に鑑みて提案されるものであって、光学記録媒体に対する情報信号の記録モード時と該情報信号の再生モード時とで光源の発光出力及び光検出器より得られる光検出出力を増幅するアンプの利得を切換えるようにした記録再生装置において、構成の複雑化を招来することなく、また、これら発光出力及び利得の制御が容易化されつつも、記録モードと再生モードとの切換えが円滑、迅速、かつ、良好に行えるようになされた記録再生装置及び記録方法の提供という課題を解決しようとするものである。
【００１３】
【課題を解決するための手段】
上述の課題を解決するため、本発明に係る記録再生装置は、光源より発せられた光を光学記録媒体に対して照射する光学デバイスと、上記光学記録媒体からの反射光を検出する光検出器と、上記光検出器より出力される光検出出力を増幅するアンプと、上記光源の発光出力を記録モード時には再生モード時よりも大きくなるように制御し、上記記録モード時と上記再生モード時とで上記発光出力を切り換えるとともに、該発光出力の切り換えに同期してアンプの利得を切換える制御回路と、上記光検出器の検出結果から上記光学デバイスをサーボ制御するためのサーボ信号が生成されるタイミングを得るためのサンプリングパルスを生成するサンプリングパルス生成回路とを備え、上記サンプリングパルスは、記録モード時の信号を書き込むためのライトパルスのピット部を形成する区間と、上記ピット部に隣接するピット部を形成する区間との間のスペース区間と同じタイミングで生成されるとともに、上記サンプリングパルスには、上記サーボ信号が生成されないタイミングであることを示すディレイ時間が設定され、上記ディレイ時間は、上記サーボ信号を生成するためのサンプリングが行われる区間に応じて適宜設定され、上記再生モード時から上記記録モード時に切り換えたとき、アンプの切り換えのための所定の時間より大きい、サンプリングを行う区間の長さの最低値を規制する時間とされ、上記アンプの切り換えが終了した後に、上記所定の時間に戻される。
【００１４】
また、本発明は、上記記録再生装置において、上記ディレイ時間は、第１のディレイ時間と、第２のディレイ時間とからなり、上記サーボ信号は、上記サンプリングパルスの開始位置から設定される上記第１のディレイ時間と、終了位置の前に設定される上記第２のディレイ時間とを除くタイミングに応じて生成されることを特徴とするものである。
【００１５】
また、上述の課題を解決するため、本発明に係る記録方法は、光源より発せられた光を光学記録媒体に対して照射し、上記光学記録媒体からの反射光を光検出器によって検出し、上記光検出器より出力される光検出出力を増幅し、上記光源の発光出力を記録モード時には再生モード時よりも大きくなるように制御し、上記記録モード時と上記再生モード時とで上記発光出力を切り換えるとともに、上記発光出力の切り換えに同期してアンプの利得を切り換え、上記光検出器の検出結果から上記光学デバイスをサーボ制御するためのサーボ信号が生成されるタイミングを得るためのサンプリングパルスを生成し、上記サンプリングパルスは、記録モード時の信号を書き込むためのライトパルスのピット部を形成する区間と、上記ピット部に隣接するピット部を形成する区間との間のスペース区間と同じタイミングで生成されるとともに、上記サンプリングパルスには、上記サーボ信号が生成されないタイミングであることを示すディレイ時間が設定され、上記ディレイ時間は、上記サーボ信号を生成するためのサンプリングが行われる区間に応じて適宜設定され、上記再生モード時から上記記録モード時に切り換えたとき、アンプの切り換えのための所定の時間より大きい、サンプリングを行う区間の長さの最低値を規制する時間とされ、上記アンプの切り換えが終了した後に、上記所定の時間に戻される。
【００１６】
【発明の実施の形態】
以下、本発明の実施の形態を図面を参照しながら説明する。
【００１７】
この実施の形態は、本発明に係る記録再生装置を、光学記録媒体としてディスク状の書き換え型光学記録媒体（例えば相変化型）、いわゆるＣＤ−ＲＷ（ＣＤ−リライタブル）を用いる装置として構成したものである。
【００１８】
この記録再生装置は、図１に示すように、光学記録媒体１０１を保持して回転操作するとともに後述する光学ピックアップ装置２を移動操作する移動操作機構１を有している。この移動操作機構１は、スピンドルモータとスレッドモータとを有している。スピンドルモータの駆動軸には、光学記録媒体１０１が装着されるディスクテーブルが取付けられている。光学記録媒体１０１は、ディスクテーブル上に装着されることにより、このディスクテーブルとともに、スピンドルモータによって回転操作される。スレッドモータは、図示しない駆動力伝達機構を介して、光学ピックアップ装置２を、ディスクテーブル上に装着された光学記録媒体１０１に対向させた状態でこの光学記録媒体１０１の径方向に移動操作する。
【００１９】
光学ピックアップ装置は、光源となるレーザダイオード、このレーザダイオードより発せられた光を導いて光学記録媒体１０１の信号記録面上に集光して照射する光学デバイス、信号記録面上に照射された光のこの信号記録面よりの反射光を受光するフォトダイオードの如き光検出器を備えて構成されている。光学デバイスには、レーザダイオードより発せられた光を信号記録面上に集光させる対物レンズが含まれている。この対物レンズは、２軸アクチュエータにより支持され、光軸方向及びこの光軸方向に直交する光学記録媒体１０１の径方向に移動操作可能となされている。
【００２０】
この光学ピックアップ装置においては、レーザダイオードの発光出力を変調することにより、光学記録媒体１０１の信号記録面に対する情報信号の書込みを行うことができる。また、この光学ピックアップ装置においては、光検出器が受光する反射光（戻り光）が光学記録媒体１０１の信号記録面上に記録された情報信号に応じて変調されていることから、この光検出器の出力する光検出信号は、図５中（ｄ）に示すように、信号記録面上に記録された情報信号の読取り信号となる。
【００２１】
光学ピックアップ装置のレーザダイオードは、レーザドライバ４によって駆動されて発光する。また、光検出器より出力される光検出出力は、Ｉ−Ｖアンプ３によって電流電圧変換されてこの光検出出力を増幅するプリアンプ５に送られる。この光検出出力は、例えば、Ａ，Ｂ，Ｃ，Ｄ，Ｅ，Ｆ，Ｇ，Ｈの８つの信号を含んでいる。プリアンプ５は、光検出信号に含まれる複数の信号をそれぞれ増幅する。また、このプリアンプ５は、後述するように、制御回路（ＣＰＵ）９に制御されることにより、記録（ライト）モード時と再生（リード）モード時とで利得（ゲイン）を切換えられるようになされている。
【００２２】
プリアンプ５の出力は、ＲＦマトリクスアンプ６に送られる。このＲＦマトリクスアンプ６は、制御回路９により制御されて動作する。このＲＦマトリクスアンプ６は、増幅された光検出出力に基づく演算を行い、トラッキングエラー信号Ｔｅ及びフォーカスエラー信号Ｆｅを生成する。これらトラッキングエラー信号Ｔｅ及びフォーカスエラー信号Ｆｅの生成は、記録モードにおいては、後述するようにＲＦマトリクスアンプ６に供給されるサンプリングパルスＳｐに応じたタイミングで行われる（サンプリングパルスＳｐが“Ｈ”レベルとなっている間に行われる）。
【００２３】
トラッキングエラー信号Ｔｅ及びフォーカスエラー信号Ｆｅは、サーボ回路８に送られる。このサーボ回路８は、制御回路９により制御されて動作し、これら各エラー信号Ｔｅ，Ｆｅに基づいてフォーカス駆動電流Ｔｒｋ及びトラッキング駆動電流Ｆｃｓを生成する。このサーボ回路８は、各駆動電流Ｔｒｋ，Ｆｃｓを２軸アクチュエータに供給することにより、この２軸アクチュエータを駆動する。
【００２４】
この記録再生装置における再生モードにおいては、ＲＦマトリクスアンプ６は、増幅された光検出出力に基づく演算を行い、ＲＦ信号を生成する。このＲＦ信号は、信号処理回路７に送られる。この信号処理回路７は、制御回路９により制御されて動作する。この信号処理回路７は、ＤＳＰ（デジタルシグナルプロセッサ）により構成されており、ＲＦ信号をＥＦＭ（Eight Fourteen Modulation）復調して、再生信号として出力端子７ａより出力する。また、この再生モードにおいては、レーザドライバ４は、レーザダイオードを一定の光出力（リードパワーＰｒ、例えば、０．７ｍＷ程度）で発光させる。
【００２５】
そして、この記録再生装置の記録モードにおいては、信号処理回路７は、入力端子７ｂより入力される光学記録媒体１０１により記録されるべき信号をＥＦＭ（Eight Fourteen Modulation）変調してＥＦＭ信号とし、ＥＦＭ／ｎＴジェネレータ１０に送る。このＥＦＭ／ｎＴジェネレータ１０を経たＥＦＭ信号は、図５中（ｂ）に示すように、光学記録媒体１０１上に形成されるべきピット（マーク）（図５中（ａ））に対応した信号である。このＥＦＭ信号においては、ピットの長さが、例えば３Ｔ（Ｔはチャンネルビット）乃至１１Ｔ、ピット間のスペース区間の長さが、例えば３Ｔ乃至１１Ｔとなっている。
【００２６】
ＥＦＭ／ｎＴジェネレータ１０を経たＥＦＭ信号は、サンプリングパルス生成回路１１及びライトストラテジ回路１２に送られる。ＥＦＭ／ｎＴジェネレータ１０及びサンプリングパルス生成回路１１は、制御回路９により制御されて動作する。
【００２７】
サンプリングパルス生成回路１１は、ＤＳＰ（デジタルシグナルプロセッサ）により構成されており、ＥＦＭ信号より、サンプリングパルスＳｐの生成を行う。このサンプリングパルスＳｐは、図５中（ｅ）に示すように、ＥＦＭ信号のスペース区間に対応するタイミングで生成される。このサンプリングパルスＳｐは、ＲＦマトリクスアンプ６に送られる。
【００２８】
また、ライトストラテジ（Write Strategy）回路１２は、ＥＦＭ信号をパルス化して、ライトパルスＷｐとして、レーザドライバ４に送る。すなわち、このレーザドライバ４は、ライトパルスＷｐにしたがい、図５中（ｃ）に示すように、ＥＦＭ信号のピット形成部においては、レーザダイオードをパルス発光（ピーク時においてライトパワーＰｗ、例えば、１２ｍＷ乃至１３ｍＷ程度）させる。そして、このレーザドライバ４は、ＥＦＭ信号のピット部とピット部との間のスペース区間においては、レーザダイオードをライトパワーＰｗの１／２程度の一定の光出力（イレーズパワーＰｅ、例えば、６ｍＷ乃至７ｍＷ程度）で発光させる。このように、この記録再生装置においては、記録モードにおけるレーザダイオードの発光出力は、再生モードにおけるレーザダイオードの発光出力の１０倍以上となっている。
【００２９】
なお、相変化型の光学記録媒体１０１においては、スペース区間は、この光学記録媒体１０１に既に記録されている情報信号を消去するイレーズ区間となっている。このイレーズ区間においては、レーズパワーＰｅのレーザ光が照射されることにより、記録されている情報信号が消去される。
【００３０】
そして、プリアンプ５は、記録再生装置の動作モードが記録モードである時と再生モードである時とにおいて、レーザダイオードの発光出力の切換えに応じて利得を切換えられるようになされている。すなわち、プリアンプ５は、図２に示すように、固定ゲインアンプ部１３とアッテネータ部１４とから構成されている。固定ゲインアンプ部１３は、Ｉ／Ｖアンプ３よりＡ乃至Ｈの８つの信号を入力端子１６を介して非反転入力端子に供給される比較器１７を有している。この比較器１７の反転入力端子には、第１の抵抗１９（１ｋΩ）を介して、基準電圧（Ｖｃ）源２０に接続されている。また、この反転入力端子は、第２の抵抗１８（１ｋΩ）を介して、比較器１７の出力端子に接続されている。この固定ゲインアンプ部１３における利得は、例えば、＋６ｄＢとなっている。
【００３１】
比較器１７の出力端子は、アッテネータ１４の入力端子となる第３の抵抗２１（１ｋΩ）の一端に接続されている。このアッテネータ１４において、第３の抵抗２１の他端は、第４の抵抗２２（１ｋΩ）の一端に接続されている。また、第３の抵抗２１の他端は、第５の抵抗２３（１００Ω）の一端に接続されている。この第５の抵抗２３の他端は、切換えスイッチ１５を介して、基準電圧（Ｖｃ）源２４に接続されている。第４の抵抗２２の他端は、アッテネータ１４の出力端子として、ＲＦマトリクスアンプ６に接続されている。このアッテネータ１４における利得は、切換えスイッチ１５が開放（遮断）状態のとき、０ｄＢであり、切換えスイッチ１５が閉成（導通）状態のとき、例えば、−１７ｄＢである。
【００３２】
切換えスイッチ１５は、制御回路９より供給されるリード−ライトパルスに応じて、記録再生装置の動作モードが記録モードであるか再生モードであるかに対応して切換え操作される。すなわち、再生モードにおいては、切換えスイッチ１５が開放（遮断）状態となされ、プリアンプ５は、＋６ｄＢの固定ゲインアンプ部１３と０ｄＢのアッテネータ１４とが組合わさった状態となり、＋６ｄＢの利得となる。このとき、ＲＦマトリクスアンプ６の利得が＋６ｄＢであり、プリアンプ５とＲＦマトリクスアンプ６との総合で＋１２ｄＢの利得となる。
【００３３】
記録モードにおいては、切換えスイッチ１５が閉成（導通）状態となされ、プリアンプ５は、＋６ｄＢの固定ゲインアンプ部１３と−１７ｄＢのアッテネータ１４とが組合わさった状態となり、−１１ｄＢの利得となる。このとき、ＲＦマトリクスアンプ６の利得が＋３ｄＢであり、プリアンプ５とＲＦマトリクスアンプ６との総合で−８ｄＢの利得となる。すなわち、この記録再生装置においては、記録モードにおけるプリアンプ５とＲＦマトリクスアンプ６との総合の利得が再生モードにおけるプリアンプ５とＲＦマトリクスアンプ６との総合の利得に対して−２０ｄＢとなっている。したがって、記録モードにおいてレーザダイオードの発光出力が再生モードにおけるレーザダイオードの発光出力に対して＋２０ｄＢとなっても、ＲＦマトリクスアンプ６内における信号レベルは略々一定レベルに保たれる。
【００３４】
なお、ＣＤ−ＲＷ（ＣＤ−リライタブル）の信号記録面の反射率は、ＣＤ−ＲＯＭ（ＣＤ−ロム）やＣＤ−Ｒ（ＣＤ−レコーダブル）の信号記録面の反射率の１／４程度である。この記録再生装置は、再生モードにおいてプリアンプ５の利得を＋６ｄＢとしＲＦマトリクスアンプ６の利得を＋６ｄＢとすることで、ＣＤ−Ｒ用の記録再生装置に比較して回路構成を殆ど変更することなく、ＣＤ−ＲＷの再生を可能としている。
【００３５】
この記録再生装置においては、上述したように、プリアンプ５の利得の切換えは、アッテネータ１４の切換えスイッチ１５の切換えによって行われる。そして、この切換えスイッチ１５の切換えを行うリード−ライトパルスは、ライトストラテジ回路１２を経てレーザドライバ４にも送られる。このレーザドライバ４は、リード−ライトパルスにしたがって、レーザダイオードの発光出力の切換えを行う。すなわち、プリアンプ５の利得の切換えとレーザダイオードの発光出力の切換えとは、同時に行われる。
【００３６】
ここで、リード−ライトパルスの伝幡時間にアナログスイッチである切換えスイッチ１５の伝幡遅延時間を加味すると、図４中（ａ）に示すように、リード−ライトパルスの再生モード（リード）と記録モード（ライト）との間の切換わり時間は、１５ｎＳ（ナノセカンド）程度は必要である（図４では、３０ｎＳとして示している）。切換えスイッチ１５の伝幡遅延時間は、図４中（ｂ）で示すように、この切換えスイッチ１５の切換えの５０％到達時がリード−ライトパルスの切換わりの５０％到達時よりも約１０ｎＳ遅れる程度である。つまり、リード−ライトパルスの切換わりから切換えスイッチ１５の切換え完了時までの時間は、約２５ｎＳ以上は必要である。
【００３７】
ところで、この記録再生装置においては、サンプリングパルスＳｐの生成は、図６に示すように、光学記録媒体１０１により記録されるべき信号に対応したＥＦＭ信号に基づいて行われる。すなわち、サンプリングパルスＳｐは、ＥＦＭ信号（図６中（ａ））がサンプリングパルス生成回路１１に入力されると、図６中（ｂ）（サンプリングパルス（１））に示すように、このＥＦＭ信号の立ち下がりからの第１のディレイ時間Ｄｔ１経過後に“Ｈ”レベルとなり、次のＥＦＭ信号の立ち上がりまでの時間が第２のディレイ時間Ｄｔ２となるところで“Ｌ”レベルとなるように生成される。このときのサンプリングパルス（１）は、最短のスペース区間（例えば３Ｔ）においても、一定時間に亘って“Ｈ”レベルとなされる。すなわち、
Ｄｔ１＋Ｄｔ２＜３Ｔ
である。
【００３８】
そして、この記録再生装置においては、再生モードと記録モードとの間の切換え直後の過渡状態においては、レーザダイオードの発光出力及びプリアンプ５の利得の変動のため、光検出器の出力する光検出信号が不安定になる場合がある。例えば、光学記録媒体１０１の記録トラックの対物レンズに対する線速度を、従来の通常速度の４倍速とした場合においては、３Ｔが１７３．５ｎＳ、１１Ｔが６３６ｎＳとなり、８倍速とした場合においては、３Ｔが８６．８ｎＳとなり、最短のスペース区間でサンプリングパルスが“Ｈ”レベルとなる期間は、４倍速で、例えば、６０ｎＳ、８倍速で３０ｎＳ程度になるが、これらの場合において、リード−ライトパルスの伝幡遅延時間が最低２５ｎＳ程度はあるので、区間長の短いスペース区間においては、安定したサンプリングが行えず、正確なフォーカスエラー信号及びトラッキングエラー信号を生成することができない虞れがある。区間長が充分に長いスペース区間においては、過渡応答による変動が整定してから、サンプリングを行い、正確なフォーカスエラー信号及びトラッキングエラー信号を生成することができる。
【００３９】
そこで、この記録再生装置においては、再生モードより記録モードへの切換え直後の過渡状態においては、区間長が充分に長いスペース区間においてのみ、サンプリングを行って正確なフォーカスエラー信号及びトラッキングエラー信号を生成することとしている。このように、区間長が充分に長いスペース区間においてのみ、サンプリングを行うようにするためには、第１及び第２のディレイ時間Ｄｔ１，Ｄｔ２を長くすればよい。
【００４０】
すなわち、第１のディレイ時間Ｄｔ１及び第２のディレイ時間Ｄｔ２をそれぞれ長くして第３のディレイ時間Ｄｔ１´及び第４のディレイ時間Ｄｔ２´に代えると、サンプリングパルスＳｐは、ＥＦＭ信号（図６中（ａ））がサンプリングパルス生成回路１１に入力されると、図６中（ｃ）（サンプリングパルス（２））に示すように、このＥＦＭ信号の立ち下がりからの第３のディレイ時間Ｄｔ１´経過後に“Ｈ”レベルとなり、次のＥＦＭ信号の立ち上がりまでの時間が第４のディレイ時間Ｄｔ２´となるところで“Ｌ”レベルとなるように生成される。このときのサンプリングパルス（２）は、区間長が第３及び第４のディレイ時間Ｄｔ１´，Ｄｔ２´の和以下のスペース区間（例えば３Ｔ）においては、“Ｈ”レベルとなされない。すなわち、
Ｄｔ１´＋Ｄｔ２´≧３Ｔ
である。したがって、これら第３及び第４のディレイ時間Ｄｔ１´，Ｄｔ２´を適宜設定することにより、サンプリングパルスＳｐが“Ｈ”レベルとなるスペース区間のうちの最短の区間長を定めることができる。また、これら第３及び第４のディレイ時間Ｄｔ１´，Ｄｔ２´を適宜設定することにより、最長のスペース区間（例えば１１Ｔ）においてのみサンプリングパルスＳｐが“Ｈ”レベルとなるようにすることができる。この場合、
１１Ｔ＞Ｄｔ１´＋Ｄｔ２´≧１０Ｔ
となっている。
【００４１】
この記録再生装置においては、図３に示すように、ステップｓｔ１で再生モード（リード）より記録モード（ライト）への切換え動作が開始されると、ステップｓｔ２で、第３及び第４のディレイ時間Ｄｔ１´，Ｄｔ２´を設定して最長のスペース区間（１１Ｔ）においてのみサンプリングパルスＳｐが“Ｈ”レベルとなるようにする。そして、ステップｓｔ３で、レーザダイオードの発光出力及びプリアンプ５の利得を切換える。次に、ステップｓｔ４で、光検出出力が整定する時間、例えば、４倍速において２００ｎＳ乃至６００ｎＳ程度に亘って、第３及び第４のディレイ時間Ｄｔ１´，Ｄｔ２´を維持する。その後、ステップｓｔ５において、各ディレイ時間を通常の第１及び第２のディレイ時間Ｄｔ１，Ｄｔ２に戻す。このとき、全てのスペース区間においてサンプリングパルスＳｐが“Ｈ”レベルとなることとなる。
【００４２】
なお、この記録再生装置において、第１及び第２のディレイ時間Ｄｔ１，Ｄｔ２，Ｄｔ１´，Ｄｔ２´は、適宜設定することができ、通常の記録モード続行状態においてサンプリングが行われるスペース区間は、全てのスペース区間とする必要はなく、任意の長さ（３Ｔ乃至１１Ｔ）以上のスペース区間においてのみサンプリングが行われることとしてもよい。
【００４３】
また、この記録再生装置において、第３及び第４のディレイ時間Ｄｔ１´，Ｄｔ２´は、適宜設定することができ、再生モードより記録モードへの切換え直後の過渡状態においてサンプリングが行われるスペース区間の長さは、最長区間（１１Ｔ）のみならず、リード−ライトパルスの伝幡遅延時間に応じて、任意の長さ（３Ｔ乃至１１Ｔ）以上のスペース区間においてサンプリングが行われることとしてもよい。
【００４４】
【発明の効果】
上述のように、本発明に係る記録再生装置は、光源より発せられた光を光学記録媒体に対して照射する光学デバイスと、上記光学記録媒体からの反射光を検出する光検出器と、上記光検出器より出力される光検出出力を増幅するアンプと、上記光源の発光出力を記録モード時には再生モード時よりも大きくなるように制御し、上記記録モード時と上記再生モード時とで上記発光出力を切り換えるとともに、該発光出力の切り換えに同期してアンプの利得を切換える制御回路と、上記光検出器の検出結果から上記光学デバイスをサーボ制御するためのサーボ信号が生成されるタイミングを得るためのサンプリングパルスを生成するサンプリングパルス生成回路とを備えている。
【００４５】
そして、この記録再生装置において、上記サンプリングパルスは、記録モード時の信号を書き込むためのライトパルスのピット部を形成する区間と、上記ピット部に隣接するピット部を形成する区間との間のスペース区間と同じタイミングで生成されるとともに、上記サンプリングパルスには、上記サーボ信号が生成されないタイミングであることを示すディレイ時間が設定され、上記ディレイ時間は、上記サーボ信号を生成するためのサンプリングが行われる区間に応じて適宜設定され、上記再生モード時から上記記録モード時に切り換えたとき、アンプの切り換えのための所定の時間より大きい、サンプリングを行う区間の長さの最低値を規制する時間とされ、上記アンプの切り換えが終了した後に、上記所定の時間に戻されるものである。したがって、この記録再生装置においては、記録モードと再生モードとの切換え時に、フォーカスサーボ動作及びトラッキングサーボ動作が中断されてしまう虞れがない。
【００４６】
すなわち、本発明は、光学記録媒体に対する情報信号の記録モード時と該情報信号の再生モード時とで光源の発光出力及び光検出器より得られる光検出出力を増幅するアンプの利得を切換えるようにした記録再生装置において、構成や動作の複雑化を招来することなく、また、これら発光出力及び利得の制御が容易化されつつも、記録モードと再生モードとの切換えが円滑、迅速、かつ、良好に行えるようになされた記録再生装置を提供することができるものである。
【図面の簡単な説明】
【図１】本発明に係る記録再生装置の構成を示すブロック図である。
【図２】上記記録再生装置のアンプの構成を示す回路図である。
【図３】上記記録再生装置の動作を示す流れ図である。
【図４】上記記録再生装置において再生モードより記録モードへの切換え時の制御パルスとアナログスイッチの動作とのタイミングを示すタイミングチャートである。
【図５】上記記録再生装置の記録モードにおいて記録されるピット及びこのピットに対応するＥＦＭ信号、発光出力、光検出出力、サンプリングパルスを示すタイミングチャートである。
【図６】上記記録再生装置におけるＥＦＭ信号とサンプリングパルスとの関係を示すタイミングチャートである。
【符号の説明】
２  光学ピックアップ装置、５  プリアンプ、９  制御回路、１０１  書き換え型光学記録媒体
【図１】
0003791101.tif 000002
【図２】
0003791101.tif 000003
【図３】
0003791101.tif 000004
【図４】
0003791101.tif 000005
【図５】
0003791101.tif 000006
【図６】
0003791101.tif 000007